(57)【要約】【課題】  旅券番号が変更された場合においても、本人の過去の旅券に紐付いた情報を活用した審査を実施する。【解決手段】  審査対象者の生体から生体情報を取得し、審査対象者の旅券から旅券情報を取得し、取得した生体情報とテンプレートとしての生体情報とを照合し、取得した旅券情報に基づいて審査を行い、照合結果と審査結果に基づいて、出入国審査を行う出入国審査において、取得した旅券情報には、旅券番号と他の個人情報が含まれており、他の個人情報を用いて異なる旅券番号にかかるテンプレートとしての生体情報を照合に用いるテンプレートとして選択することにより、旅券所有者が過去に所有していた旅券を見つけてその情報を本人認証や審査に利用することができる。【選択図】  図１
2018045340.tif 000002
【特許請求の範囲】
【請求項１】
審査対象者の生体から生体情報を取得する生体情報取得手段と、
審査対象者の旅券から、旅券情報を取得する旅券情報取得手段と、
前記取得した生体情報と、テンプレートとしての生体情報とを照合する照合手段と、
前記取得した旅券情報に基づいて、審査を行う審査手段と、
を備え、
前記照合結果と前記審査結果に基づいて、出入国審査を行う出入国審査システムにおいて、
前記取得した旅券情報には、旅券番号と他の個人情報が含まれており、
前記他の個人情報を用いて、異なる旅券番号にかかるテンプレートとしての生体情報を前記照合に用いるテンプレートとして選択することを特徴とする出入国審査システム。
【請求項２】
請求項１において、
前記取得した生体情報と前記異なる旅券番号のテンプレートとの照合に成功した場合に、当該異なる旅券番号と、前記審査対象者の旅券番号とを紐付けることを特徴とする出入国審査システム。
【請求項３】
請求項１において、
前記他の個人情報として、生年月日または名のいずれかを用いることを特徴とする出入国審査システム。
【請求項４】
請求項３において、
前記他の個人情報として、性別または姓のいずれかをさらに用いることを特徴とする出入国審査システム。
【請求項５】
請求項３において、
前記他の個人情報の一致度に基づいて、前記生体情報の照合にかかる照合成功の閾値を変更することを特徴とする出入国審査システム。
【請求項６】
請求項１において、
前記旅券番号にかかるテンプレートとしての生体情報と、前記生体から取得した生体情報とを照合し、
照合に失敗した場合に、前記他の個人情報を用いて、異なる旅券番号にかかるテンプレートを選択して照合する
ことを特徴とする出入国審査システム。
【請求項７】
請求項２において、
前記旅券情報の紐付けに基づいて、同一人物にかかる複数の旅券番号を取得し、
前記複数の旅券番号それぞれの出入国記録を取得し、統合出入国記録を作成する
ことを特徴とする出入国審査システム。
【請求項８】
生体情報取得手段が、審査対象者の生体から生体情報を取得する生体情報取得工程と、
旅券情報取得手段が、審査対象者の旅券から、旅券情報を取得する旅券情報取得工程と、
照合手段が、前記取得した生体情報と、テンプレートとしての生体情報とを照合する照合工程と、
審査手段が、前記取得した旅券情報に基づいて、審査を行う審査工程と、
を行い、
前記照合結果と前記審査結果に基づいて、出入国審査を行う出入国審査方法において、
前記取得した旅券情報には、旅券番号と他の個人情報が含まれており、
前記他の個人情報を用いて、異なる旅券番号にかかるテンプレートとしての生体情報を前記照合に用いるテンプレートとして選択することを特徴とする出入国審査方法。
【発明の詳細な説明】
【技術分野】
【０００１】
本発明は、出入国審査にかかる技術に関する。
【背景技術】
【０００２】
現在、日本における日本人の出帰国審査において、事前登録不要の「顔認証自動化ゲート」の導入が計画されている。この自動化ゲートでは、旅券（パスポート）内のＩＣ情報に保管された顔画像と審査場にて撮影する顔画像との照合により本人確認を実施し、本人と判定された場合には審査を行い自動化ゲートを通過可能とする。この自動化ゲートの導入により、日本人の出帰国審査が効率化される。
【０００３】
出帰国審査においては、上記技術によるテンプレートと旅券番号とをキー情報とし、国籍、性別、年齢、そして旅券ＩＣ情報を紐付けてマスタ管理することが想定される。生体情報における認証精度を向上させるための技術として、特許文献１のように、生体読取装置から取得して認証に使用した生体情報を蓄積し、複数の生体情報をテンプレートとして用いて認証精度を向上する技術がある。生体情報として顔画像を用い、出入国審査で撮影した顔画像を蓄積してテンプレート化し、渡航者を撮影した顔画像と旅券に表示した顔画像との照合が不一致だった場合、旅券番号をもとにテンプレートを検索し、検索したテンプレートと照合させることができれば、認証精度を上げることができる。
【先行技術文献】
【特許文献】
【０００４】
【特許文献１】特開２０１１−１２３５３２号公報
【発明の概要】
【発明が解決しようとする課題】
【０００５】
しかしながら、特許文献１では、照合対照テンプレートと紐付くキー情報が変わった際のテンプレート検索については考慮されていない。そのため、旅券の更新や再発行といった際の旅券番号が変更になった場合に、テンプレートとの関連性がなくなるため、変更前の旅券番号に紐づくテンプレートとの照合が出来なくなり、認証精度が下がってしまう可能性がある。結果として、審査を効率的に行うことが出来なくなる。
【０００６】
本発明は、上記の課題を考慮し、旅券番号が変更された場合においても、過去の旅券番号にかかる情報を活用して審査を実施する技術を提供することを目的とする。
【課題を解決するための手段】
【０００７】
本発明では、上記課題を解決するために、審査対象者の生体から生体情報を取得し、審査対象者の旅券から旅券情報を取得し、取得した生体情報とテンプレートとしての生体情報とを照合し、取得した旅券情報に基づいて審査を行い、照合結果と審査結果に基づいて、出入国審査を行う出入国審査において、取得した旅券情報には、旅券番号と他の個人情報が含まれており、他の個人情報を用いて異なる旅券番号にかかるテンプレートとしての生体情報を照合に用いるテンプレートとして選択する。
【発明の効果】
【０００８】
本発明によれば、変更前の旅券番号にかかる情報を活用して審査を実施することができる。
【図面の簡単な説明】
【０００９】
【図１】本発明の一実施例にかかる自動化ゲート出入国審査システム構成図である。
【図２】本発明の一実施例にかかるゲート端末２０の構成を示すためのブロック図である。
【図３】本発明の一実施例にかかるテンプレート照合システム１０の構成を示すためのブロック図である。
【図４】本発明の一実施例にかかる旅券ＩＣ情報１１３の構成である。
【図５】本発明の一実施例にかかる顔画像履歴データベース１１１の構成である。
【図６】本発明の一実施例にかかるテンプレートデータベース１１２の構成である。
【図７】本発明の一実施例にかかる審査フローである。
【図８】本発明の一実施例にかかる審査フローにおける本人認証のフローである。
【図９】本発明の一実施例にかかる統合した出入国履歴情報である。
【発明を実施するための形態】
【００１０】
以下、本発明の実施例を、図１〜９を用いて説明する。
【実施例】
【００１１】
図１を用いて、本発明の実施例にかかるシステム構成を説明する。本実施例では、ゲート端末２０と、テンプレート照合システム１０と、出入国管理システム３０が、広域ネットワーク４０によって接続されている。ゲート端末２０は、空港等の出帰国審査場に設置され、自動で審査を行うためのものであり、渡航者が端末を操作して審査に合格すると、ゲートのフラップが移動して通路が開き通過可能になる。テンプレート照合システム１０は、ゲート端末２０と同じ施設内の別の場所に設置され、ゲート端末２０が撮影した渡航者の顔画像をテンプレートと照合する。出入国管理システム３０は、おおよその場合は出帰国審査場を有する施設とは別のデータセンターなどに設置され、出帰国審査に必要な情報処理を行ったり、データ保存をしたりする。
【００１２】
図２を用いて、ゲート端末２０の構成を説明する。ゲート端末２０は、制御部２００と、顔画像撮影装置５０と、ディスプレイ６０と、入力装置７０と、旅券ＩＣ情報読取装置８０と、ゲート装置９０とを備えている。制御部２００は、例えばプロセッサで構成され、プログラムである、旅券ＩＣ情報と撮影顔画像とを照合するための照合手段２０１と、外部システムと連携し失効旅券チェックなどを行う審査のための審査手段２０２とを、その上で稼働させる。顔画像撮影装置３０は、カメラであり、渡航者の顔画像を撮影する。ディスプレイ６０は、渡航者に情報や指示を表示し、入力装置７０は渡航者の操作入力を受け付ける。旅券ＩＣ情報読取装置８０は、ＩＣリーダであり、渡航者が提示した旅券が有する旅券ＩＣに格納されている情報１１３を非接触通信により読み取る。ゲート装置９０は、渡航者が通行する通路を遮断するフラップを備え、審査後にフラップを開き渡航者通路を通行可能にし、出帰国させる。
【００１３】
図３を用いて、テンプレート照合システム１０の構成を説明する。テンプレート照合システム１０は、制御部１００と記憶部１１０を有する。記憶部１１０は、顔画像履歴データベース１１１とテンプレートデータベース１１２を格納する。制御部１００は、プログラムとしての、撮影顔画像と照合するための該当テンプレート（またはその候補）を顔画像履歴データベース１１１やテンプレートデータベース１１２から検索するテンプレート検索手段１０１、撮影顔画像とテンプレートもしくは過去の撮影顔画像とを照合する照合手段１０２、顔画像履歴データベース１１１とテンプレートデータベース１１２に顔画像を保存したり情報の更新を行ったりするテンプレート管理部１０３を有する。
【００１４】
図４を用いて、旅券のＩＣが記憶する旅券ＩＣ情報１１３の構成を説明する。旅券ＩＣ情報１１３には、旅券所有者の、旅券番号、姓名、性別、生年月日と、旅券発行申請時に提出された申請者本人の顔画像の電子データを格納している。これらの情報は、旅券の紙面に印刷されている情報と同じである。
【００１５】
図５を用いて、顔画像履歴データベース１１１の構成を説明する。顔画像履歴データベース１１１は、旅券番号、顔画像を撮影した撮影日時、撮影した顔画像データを格納している。顔画像データは、出入国の審査時にゲート端末によって撮影される画像データであり、撮影する度に本データベースへ追加更新される。
【００１６】
図６を用いて、テンプレートデータベース１１２の構成を説明する。テンプレートデータベース１１２は、旅券番号、姓名、性別、生年月日、照合対象のテンプレート、過去旅券番号を格納している。顔認証のような生体認証では、生体情報から取得された特徴量の状態でテンプレートとして登録する場合が多い。
【００１７】
図７を用いて、本実施例の審査フローについて説明する。出国を例にして説明するが、帰国の場合も同様である。
【００１８】
渡航者は、国外へ行く場合、空港にて航空会社のチェックインを行い、セキュリティチェックを通過した後に、出国審査のためにゲート端末を操作して審査を行う。まず、ゲート端末２０における渡航者の本人認証を行う。渡航者がゲート端末２０の旅券ＩＣ情報読取装置６０に旅券をかざすと、ゲート端末２０が旅券ＩＣ情報を読み取る（Ｓ３００）。ゲート端末２０のディスプレイ６０にカメラ（顔画像撮影装置５０）の方を向くように渡航者への指示を表示し、顔画像撮影装置５０は渡航者の顔の向きや表情を判断し、撮影に良好な所定の条件を満たしたら、渡航者の顔画像を撮影して記録する（Ｓ３０１）。
【００１９】
次にゲート端末２０において本人認証Ｓ３０２を行う。本人認証の内容については、後で詳述する。本人認証に成功した場合には、同じ場所で引き続きゲート端末２０における自動審査を行う（Ｓ３０３）。本人認証ができなかった場合には、渡航者に有人ブースに移動するように指示を表示し、渡航者は有人審査において入念に本人認証及び審査をされる（Ｓ３０７）。
【００２０】
審査（Ｓ３０３）において、本人認証成功後の出国可否判断を行うため、出入国管理システムと連携する。ゲート端末２０から外部システムに旅券番号を送信し、外部システムにてブラックリスト及び失効旅券リストとの突合を行って結果を送信し、ゲート端末２０は問題有無の結果を受信する。問題無しであった場合は、審査通過とする。この場合、ゲート端末２０は審査結果を送信して外部システムに登録する（Ｓ３０４）。
【００２１】
そして、ゲート端末２０はゲート装置７０を開扉し、渡航者へ通過を促す案内を表示する。これによって、渡航者が出国審査ゲートを通過し出国エリアに進んで国際便航空機に搭乗できるようになる（Ｓ３０５）。
【００２２】
ゲート審査にて問題有りであった場合は、ゲート端末２０が渡航者へ有人審査に進むように案内を表示する（Ｓ３０７）。
【００２３】
図８を用いて、審査フローにおける本人認証Ｓ３０２の詳細フローについて説明する。
【００２４】
渡航者と旅券所有者（旅券に記載された者）とが同一人物であることを認証する本人認証は、渡航者を撮影した顔画像と、旅券に関して登録保存された顔画像を照合することにより行う。照合では、各々の顔画像から特徴量を抽出し（以降、「顔画像」は特徴量を意味することがある）、特徴量の類似度が所定値以上になった場合に、渡航者と旅券所有者とが一致と判断する。
【００２５】
顔画像認証に関しては、対象者の顔が変化することにより、本人であるにも関わらず本人を拒否してしまうことがある。例えば、髭の有無や、体重増減や、傷病等により顔の外見が変化し、認証できないことがある。認証率を上げるために、類似度の閾値を下げると、他人受入が発生する恐れがある。
【００２６】
これについて、登録保存された比較対象の顔画像を複数用いて本人の顔の変化を想定することにより、顔画像のばらつきを考慮して認証を行うことができる。例えば、本人と認定され登録された複数の顔画像のうちいずれか一つと一致すれば本人と認証したり、特許文献１に記載されているように、複数のテンプレートと比較した総合スコアで本人認証する。
【００２７】
複数のテンプレートと比較は、渡航者が既に何回も渡航しており、顔画像の履歴が蓄積されていることが前提となる。しかしながらが、現在のところ、法務省管轄の出入国管理業務では、旅券を更新や再発行した場合に、過去の旅券との紐付けを行っていない。そのため、更新した直後の出帰国では、顔画像履歴DBに格納された顔画像データ数が少なく、本人認証性能が低下する恐れがある。そこで、本実施例では、次のように本人認証を行い、過去の旅券にかかる顔画像も利用して本人認証及び審査を行う。
【００２８】
ゲート端末２０において、顔画像撮影装置５０は渡航者の顔画像撮影し、旅券ＩＣ情報読取装置８０は旅券ＩＣから顔画像を取得する。そして、顔画像照合手段２０１が、取得した顔画像と、撮影した顔画像を照合する（S３１０）。照合の結果、「一致」となった場合は、本人認証に成功したとしてゲート端末２０において審査を実施する（S３０３）。照合の結果、「不一致」となった場合は、ゲート端末２０からテンプレート照合システム１０へ旅券ＩＣ情報と撮影顔画像を送信して認証要求を行う。
【００２９】
テンプレート照合システム１０は、旅券ＩＣ情報と撮影顔画像を受信すると、テンプレート検索手段１０１によって、旅券ＩＣ情報に含まれる旅券番号を検索キーとしてテンプレートデータベース１１２を検索する。そして、一致する旅券番号が存在する場合は、照合手段１０２によって、撮影顔画像と、テンプレートデータベース内の一致した旅券番号に対応するテンプレートを照合させる（S３１１）。照合は、ゲート端末２０の顔画像照合手段２０１と同様に行うが、類似度の閾値を変化させてもよい。照合の結果、「一致」となった場合は、本人認証に成功したことをゲート端末２０に送信し、ゲート端末２０における審査を実施する（S３０３）。
【００３０】
照合にて「不一致」となった場合は、テンプレート検索手段１０１は、旅券ＩＣ情報に含まれる旅券番号を検索キーとして顔画像履歴データベース１１１を検索し、照合手段１０２によって、最新の撮影顔画像と、顔画像履歴データベース内の一致した旅券番号に対応する過去の撮影顔画像とを照合させる（S３１２）。照合の結果、「一致」となった場合は、本人認証に成功したことをゲート端末に送信し、ゲート端末２０における審査を実施する（S３０３）。
【００３１】
「不一致」となった場合は、テンプレート検索手段１０３は、旅券所有者の他のデータがテンプレートデータベース内にないかを調べる（S３１３）。旅券紛失による再発行や旅券更新では新たな旅券番号が付与されるため、所有者が同じで旅券番号が異なるデータがある可能性があるからである。
【００３２】
ここで次のようにテンプレート（旅券）を絞り込んで顔画像認証を行うことで、テンプレート全件と顔画像で突合する場合に比べて処理の省力化・迅速化と認証精度の向上を図る。テンプレートの絞り込みにおいて使う情報としては、例えば、旅券ＩＣ情報のうちテンプレートデータベース１１２にも存在する「生年月日」「姓名」「性別」を使用する。まず、旅券所有者の生年月日について、変更となるケースが想定できないため、同一生年月日のみを絞り込みを対象とする。次に、姓名による絞り込み（漢字等またはローマ字を使用）について、姓（Family Name）については婚姻等により変更となるケースがあり、このときにパスポートを切替え発行（旅券番号が変わる）しているが少なくないと考えられる。対して、名(First Name)については変更になる場合は少ない。そこで、検索により名の一致を必須とし、姓も一致するものを優先とする。さらに、性別については、変更になるケースはごく少数と考えられるため必須としてもよいが、名でおおよそ性別が判別できているとも考えられるため任意としてもよい。また、旅券発行年月日や旅券番号などから旅券発行順がわかる場合、渡航者所有の最新旅券よりも後の発行の旅券は除外してよい。このようにして、生年月日、姓名、性別などの少なくともいずれかを用いて、照合対象となるテンプレートを絞り込む。
【００３３】
上記の絞り込み後、「候補なし」であった場合は，有人審査にて審査を実施する（S３０７）。
【００３４】
対象テンプレート候補があった場合は、撮影顔画像と候補テンプレート全てと照合を行う（S３１４）。照合及び本人判定は、顔画像での類似度の他、旅券ＩＣ情報の一致度を考慮してもよい。例えば、姓及び名が一致している場合は姓名のうち名のみが一致している場合よりも顔画像を一致と判断する類似度の閾値を高くするなど、旅券ＩＣ情報の一致度に応じて顔画像の類似度の閾値を変えてもよい。また、顔画像の類似度のスコアと旅券ＩＣ情報の一致度のスコアを足し合わせて判定してもよい。照合の結果「一致」となった場合は、そのテンプレートにかかる旅券を渡航者が過去に所有していたとみなし、テンプレートの顔画像と一致して本人認証に成功したとする。そして，ゲート端末２０に認証成功を連絡し、ゲート端末２０の審査を実施する（S３０７）。
【００３５】
S３１４にて「不一致」となった場合は，テンプレート候補の旅券番号をキーとして，顔画像履歴データベース１１１を検索し，照合手段１０６によって、最新の撮影顔画像と、顔画像履歴データベース内の一致した旅券番号に対応する過去の撮影顔画像とを照合させる（S３１５）。照合は、S３１４と同様に行う。照合の結果、「一致」となった場合は、本人認証に成功したとして、ゲート端末２０における審査を実施し（S３０３）、一致するものが無かった場合は、有人審査S３０７にて審査を実施する。
【００３６】
なお、本人認証に成功した場合には、次の処理を行う。これらの処理は、本人認証成功の後に遅滞なく行えば、ゲート審査S３０７の前後のどちらでもよく、またこれらの処理の順序が入れ替わってもよい。
【００３７】
本人認証が成功した場合には、いずれの場合でも、テンプレート照合システム１０において、撮影顔画像を顔画像履歴データベース１１１に登録する（S３１６）。アーカイブを残しておくとともに、後の審査の本人認証にも活用するためである。
【００３８】
現旅券番号のテンプレートを用いても本人認証できず他の画像で本人認証成功した場合は、最新の撮影顔画像に基づいてテンプレートを作成し，旅券番号に対応するテンプレートを更新する（S３１７）。現登録のテンプレートを用いても本人認証できなかったため、テンプレートが適切ではないと考えられるためである。新たに登録するテンプレートの一例としては、最新の顔画像である撮影画像としているが、これに代えて本人認証に成功した時に用いたテンプレートや過去顔画像に基づいてテンプレート登録してもよい。顔画像履歴データベース、過去旅券番号にかかるテンプレートや過去顔画像データベースにかかるデータで本人認証に成功した場合には、本処理を行う。
【００３９】
さらに、過去旅券番号にかかるテンプレートや過去旅券の顔画像履歴データベースにかかるデータで本人認証に成功した場合には、一致したテンプレート等に対応する過去の旅券番号をテンプレート照合システム１０の旅券番号紐付手段１０８において，テンプレートデータベース１１２の最新旅券番号に該当する関連旅券番号に登録することで紐付を実施する（S３１８）。関連旅券番号は、新しい旅券のテンプレートに過去の旅券番号を記入するようにしてもよいし、両方に記入して相互に参照できるようにしてもよい。これによって、同一渡航者の所有にかかる最新の旅券番号と過去の旅券番号とを紐付けることができる。
【００４０】
関連旅券番号として紐付けた場合、次のような処理を行うことができる。
【００４１】
次回以降の審査において、関連旅券番号にかかる旅券のテンプレート等を本人認証に用いることができる。現在の旅券番号にかかる顔画像でも本人認証できず（S３１２の後）、テンプレートデータベースに関連旅券番号の記入がある場合、関連旅券番号にかかるテンプレートや顔画像履歴を用いて顔画像の照合を行い、一致と判定されて場合には本人人所とすることができる。これを、他の旅券番号にかかる対象テンプレート候補の絞り込みや顔画像の照合（S３１３〜３１５）に進む前に行うことで、本人認証の効率化を行うことができる。
【００４２】
ゲート審査及び有人審査において、関連旅券番号に紐づいた情報を用いて審査を行うことができる。
【００４３】
また、関連旅券番号によって、複数の旅券番号にかかる同一人物の出帰国履歴を統合して参照することができる。本人認証に問題が無い場合でも、統合出帰国記録を作成するために、過去旅券との紐付ける処理を行って関連旅券番号を記入してもよい。
【００４４】
図９に統合した出帰国履歴を示す。本出帰国履歴は、例えば、有人審査にて審査対象者の情報を表示する場合に審査者の端末が作成したり、出入国管理システムが予めバッチ処理により作成しておく。具体的には、渡航者の旅券ＩＣを読みって最新旅券番号の渡航履歴情報（図示せず）を取得し、そして、テンプレートデータベースの関連旅券番号の有無を調べる。関連旅券番号が有る場合には、関連旅券番号の渡航履歴情報を取得し、発行日や渡航日に基づいて時系列で並べて統合する。
【００４５】
図９は、このようにして統合した出帰国履歴を図９に示す。本例では、旅券更新及び姓名変更により２回の旅券番号変更を行っているが、過去の旅券にかかる出入力履歴を参照可能になる。各出帰国履歴を選択すると、審査時に撮影した顔画像等含む詳細な審査情報を表示可能である。出入国管理システムは、審査後に審査結果（出帰国履歴）を格納しており（例えば図７のS３０４）、審査結果には旅券ＩＣ情報と日時を記録されている。これを用いれば、日時と出帰国の区分を一覧で表示できる。
【００４６】
また、渡航当日には、航空会社から乗客リストが入国管理局に送付されている。旅券番号で突合して航空便名とその便の行き先を出帰国履歴に記録しておけば、航空便名や渡航先を記録可能であり、図９のように渡航先等を含む出帰国履歴を作成できる。
【００４７】
また、通常の出帰国を行えば、出国記録と帰国記録とは対になる。国外で旅券を発行した場合でも、帰国する場合にはこれに対応する出国履歴があるはずである。本実施例にように出帰国履歴を統合すれば、出国と帰国の組合せをチェックすることができ、審査精度を向上させることができる。
【００４８】
以上、本発明について説明した。本発明では、顔画像を生体情報として用いたが、これに限らず、指紋、静脈（指、掌）、虹彩など他の生体情報を用いてもよい。また、対象を無人審査としたが、有人審査に補助機能としてよい。また、対象を自国民である日本人の出帰国審査で説明したが、訪問者である外国人の出入国審査（過去の入国データがある２回目以降の訪日）を対象にしてもよい。
【符号の説明】
【００４９】
１０・・・テンプレート照合システム、２０・・・ゲート端末、３０・・・出入国管理システム、４０・・・ネットワーク、５０・・・顔画像撮影装置、６０・・・ディスプレイ、７０・・・入力装置、８０・・・旅券IC情報読み取り装置、９０・・・げート装置、１００・・・制御部、１０１・・・テンプレート検索手段、１０２・・・照合手段、１０３・・・テンプレート管理手段、１１０・・・記憶部、111・・・顔画像履歴データベース、112・・・テンプレートデータベース、113・・・旅券ＩＣ情報、200・・・制御部、201・・・撮影顔画像所号手段。
【図１】
2018045340.tif 000003
【図２】
2018045340.tif 000004
【図３】
2018045340.tif 000005
【図４】
2018045340.tif 000006
【図５】
2018045340.tif 000007
【図６】
2018045340.tif 000008
【図７】
2018045340.tif 000009
【図８】
2018045340.tif 000010
【図９】
2018045340.tif 000011